(57)【要約】【課題】  本発明は、鋼管鉄塔の斜材の構造に着目し、着脱自在で簡単に、通い綱ロープを仮止めできる通い綱ロープの仮止め用金具を提供する。【解決手段】  本発明は、鋼管鉄塔の主柱鋼管２０とこの主柱鋼管２０と接続される鋼管斜材３０との接合部分８０に装着され、鋼管鉄塔の上部に滞在する作業者に資材や工具を運搬する通い綱ロープ６０の仮止め金具１であって、該接合部分８０に着脱自在に固定される固定部と、前記通い綱ロープ６０が貫通するカラビナ７０が装着される装着部とによって構成される。【選択図】  図１
2015021362.tif 000002
【特許請求の範囲】
【請求項１】
鋼管鉄塔の主柱鋼管とこの主柱鋼管と接続される鋼管斜材との接合部分に装着され、鋼管鉄塔の上部に滞在する作業者に資材や工具を運搬する通い綱ロープの仮止め金具であって、
該接合部分に着脱自在に固定される固定部と、前記通い綱ロープが貫通するカラビナが装着される装着部とによって構成されることを特徴とする通い綱ロープの仮止め金具。
【請求項２】
前記接合部分は、前記鋼管斜材の端部に形成され、主柱鋼管との接合に使用される固定プレートが装着される切り込み部であり、
前記固定部は、前記切り込み部に挿通される挿通部及び該挿通部の先端に形成された抜け止め部によって構成され、前記装着部は前記挿通部から垂直に前記鋼管斜材に沿って延出する延出部の先端に環状に形成されることを特徴とする請求項１記載の通い綱ロープの仮止め金具。
【請求項３】
前記接合部分は、前記鋼管斜材の端部に形成され、主柱鋼管との接合に使用される固定プレートが装着される切り込み部であり、
前記固定部は、前記切り込み部を貫通する貫通部と、該貫通部の一方に螺合するワッシャ及びナットによって前記前記貫通部の一方の端部を固定すると共に、前記貫通部の他方の端部に押さえる円板部に、半円弧状の装着部が形成されることを特徴とする請求項１記載の通い綱ロープの仮止め金具。
【請求項４】
前記接合部分は、前記鋼管斜材の端部に形成され、主柱鋼管との接合に使用される固定プレートが装着される切り込み部であり、
前記固定部は、前記切り込み部を貫通する直線状の第１のアーム部と、前記切り込み部の外側に位置する鋼管斜材の外周に沿って円弧状に延出する第２のアーム部とによって構成され、前記第１のアーム部と前記第２のアーム部は、その一端で回転自在に連結されると共に、前記第１のアーム部と前記第２のアーム部の開閉される他端側に前記装着部となる貫通孔が形成されることを特徴とする請求項１記載の通い綱ロープの仮止め金具。
【請求項５】
前記接合部分は、前記鋼管斜材の端部に形成され、主柱鋼管との接合に使用される固定プレートが装着される切り込み部であり、
前記固定部は、前記切り込み部を貫通する貫通部と、該貫通部の一端に設けられた固定プレート部と、該固定プレート部に沿って形成された複数の固定孔と、前記切り込み部の固定プレート部と反対側で前記複数の固定孔のいずれか１つに装着されるボルトとナットと、前記貫通部の他端側に開口する前記装着部とによって構成されることを特徴とする請求項１記載の通い綱ロープの仮止め金具。
【請求項６】
前記接合部分は、前記鋼管斜材の端部に固定されるプレート状の斜材側固定プレートと前記鋼管斜材の端部との間の段部であり、
前記固定部は、前記斜材側固定プレートに噛合するＵ字状の噛合部と、該噛合部の分離した端部を構成する両端部から前記鋼管斜材に沿って延出する一対の延出部と、該一対の延出部のそれぞれの先端に形成された環状の装着部とによって構成されることを特徴とする請求項１記載の通い綱ロープの仮止め金具。
【請求項７】
前記接合部分は、前記鋼管斜材の端部に固定されるプレート状の斜材側固定プレートと前記鋼管斜材の端部との間の段部であり、
前記固定部は、前記斜材側固定プレートの両側に配置される一対の脚部と、該一対の脚部のそれぞれから前記鋼管斜材に沿って延出する延出部と、該一対の延出部の先端が環状に連設されて形成された装着部とによって構成され、前記延出部には延出部を絞るためのリングが装着され、さらに前記脚部の先端の一方には装着用のピンが設けられ、他方にはそのピンが装着されるためのリングが形成されることを特徴とする請求項１記載の通い綱ロープの仮止め金具。
【請求項８】
前記接合部分は、前記鋼管斜材の端部と該端部に固定されるプレート状の斜材側固定プレートとの間に形成された空間であり、
前記固定部は、前記鋼管斜材の端部から前記空間内に挿通されるＵ字状のヘアピン形状に形成され、前記装着部は、該固定部の離れた側の先端のそれぞれに環状に形成されることを特徴とする請求項１記載の通い綱ロープの仮止め金具。
【請求項９】
前記接合部分は、前記鋼管斜材の端部と該端部に固定されるプレート状の斜材側固定プレートとの間に形成された空間であり、
前記固定部は、前記斜材側固定部によって仕切られた両側の空間に挿入される一対の折り返し部と、該折り返し部のそれぞれから延出する一対の延出部とによって構成され、前記装着部は、該一対の延出部の先端が環状に連設されて形成された環状部によって構成されることを特徴とする請求項１記載の通い綱ロープ。
【発明の詳細な説明】
【技術分野】
【０００１】
本発明は、鋼管鉄塔に通い綱ロープを仮止めするために用いる通い綱ロープの仮止め金具に関する。
【背景技術】
【０００２】
従来、送電設備の鉄塔で作業する場合、通い綱ロープを使用して資材、工具の上げ下げを行っているが、資材・工具を塔上において作業員が受け取りする時や下ろす場合には通い綱ロープを一端地上員が仮止めしなければならない。このとき、従来では、鉄塔の主柱材・斜材に仮止めしたり、作業員自身の自重によって通い綱ロープの仮止めを行ったりしていた。
【０００３】
この通い綱ロープの仮止めをする場合には、主柱材や斜材にあだ巻きをして仮止めをするが、この時斜材に仮止めした通い綱ロープが滑るという不具合が生じる場合があった。また、作業員自身の自重による仮止めの場合には、資材・工具の重量によって作業員に危険が及ぶという不具合も生じる。
【０００４】
特許文献１（実開昭６１−１７４８２４号公報）には、電線止め金具が開示されている。この電線止め金具は、電線を挟持するクランプ部が、鉄塔に取付け固定される鉄塔取付部の構成部材の一部によって連結支持されているものである。この電線止め金具のクランプ部は、電線を挟持する半円形の挟持面をそれぞれ対向させて有する２個のクランプと、並列した２条の電線を挟持する場合には上記クランプ間に挿入されて両面にクランプの挟持面に対向する挟持面を有するこまと、上記クランプおよびこまに電線を挟持させて締め付け固定するクランプ締め付け装置とから構成される。また、鉄塔取付部は、形鋼によって構成されている鉄塔部材にそれぞれ係合する２個のフック部材と両フック部材を鉄塔部材に締め付け固定するフック締め付けボルトおよびナットとを備える。このような構成によって、電線を鉄塔部材に固定することができるようにしたものである。
【０００５】
また、特許文献２（実用新案登録第３１４１６０９号公報）は、スパンカーを装着するマストを直立状態に保持するロープにテンションを付与して簡単に固定できるようにした結索用固定具を開示する。この結索用固定具は、一端をマストの上端に取り付けたロープの途中部分にひと結びして固定する第１の環状部と、当該ロープの他端を貫通させる第２の環状部とが連結部を介して連設され、この連結部の両側に張り出して棒状部を設け、これらの棒状部の先端にストッパ部を設けるようにしたものである。
【先行技術文献】
【特許文献】
【０００６】
【特許文献１】実開昭６１−１７４８２４号公報
【特許文献２】実用新案登録第３１４１６０９号公報
【発明の概要】
【発明が解決しようとする課題】
【０００７】
前記特許文献１に開示される電線止め具を利用して、送電設備の鉄塔の作業者に資材や工具を運搬するための通い綱ロープを固定する方法もあるが、この場合には着脱が容易に行えないという課題が生じる。また、特許文献２に開示される結索用固定具を利用する場合には、ロープを固定するためのフックの存在が必要であるが、ロープ自体を鉄塔に固定するための構造が必要となる。
【０００８】
上述したように、鉄塔で高所作業を行う場合、資材・工具等を、通い綱ロープを使用して運搬している。塔上へ資材・工具が到着した場合、塔上員が資材・工具を受け取る間若しくはしばらく使用しない場合に通い綱ロープを仮止めする必要がある。通い綱ロープを仮止めする場合、アングル鋼材からなる鉄塔では、主柱材・斜材等にあだ巻きを行い仮止めすることができるが、鋼管（パイプ）鉄塔では、主柱材、斜材への仮止めが簡単にできないという問題点が生じる。さらに、鋼管（パイプ）のため、主柱材ではパイプ径が大きく両手が届かないことから通い綱ロープを主柱材に廻すことが難しいことや斜材もパイプであるため滑りやすく仮止めが難しいという問題点がある。このため、現状では作業員の自重により仮止めを行っているが、資材・工具が作業員の自重よりも重い場合にはバランスがとれないこともあり、作業員一人では持ちこたえられないという問題が生じている。
【０００９】
鋼管鉄塔は、例えば、図９に示すように、土台１０１に立設する鋼管鉄塔の主柱鋼管１０２と、この主柱鋼管１０２に接続される鋼管斜材１０３とを具備する。この主柱鋼管１０２と鋼管斜材１０３とは、主柱鋼管１０２に溶接固定されたプレート状の主柱側固定プレート１０４と、鋼管斜材１０３に溶接固定されたプレート状の斜材側固定プレート１０５とをボルトによって固定することによって接続される。
【００１０】
この様な構造において、本発明者らは、通い綱ロープを仮止めするために、鋼管斜材１０３と斜材側固定プレート１０５との接合部分には、鋼管斜材１０３の端部に形成された前記斜材側固定プレート１０５を装着するための切り込み部１０６、空洞の鋼管斜材１０３と前記斜材側固定プレート１０５との間の空間１０７、前記鋼管斜材１０３の端部と斜材側固定プレート１０５との間の段差を利用できることを見出した。
【００１１】
そこで、本発明は、鋼管鉄塔の斜材の構造に着目し、着脱自在で簡単に通い綱ロープを仮止めできる通い綱ロープの仮止め用金具を提供することを主たる課題としている。
【課題を解決するための手段】
【００１２】
したがって、本発明は、鋼管鉄塔の主柱鋼管とこの主柱鋼管と接続される鋼管斜材との接合部分に装着され、鋼管鉄塔の上部に滞在する作業者に資材や工具を運搬する通い綱ロープの仮止め金具であって、該接合部分に着脱自在に固定される固定部と、前記通い綱ロープが貫通するカラビナが装着される装着部とによって構成されることを特徴としている。
【００１３】
ここで、前記接合部分は、前記鋼管斜材の端部に形成され、主柱鋼管との接合に使用される固定プレートが装着される切り込み部であり、前記固定部は、前記切り込み部に挿通される挿通部及び該挿通部の先端に形成された抜け止め部によって構成され、前記装着部は前記挿通部から垂直に前記鋼管斜材に沿って延出する延出部の先端に環状に形成されるようにしてもよい。
【００１４】
また、前記接合部分は、前記鋼管斜材の端部に形成され、主柱鋼管との接合に使用される固定プレートが装着される切り込み部であり、前記固定部は、前記切り込み部を貫通する貫通部と、該貫通部の一方に螺合するワッシャ及びナットによって前記貫通部の一方の端部を固定すると共に、前記貫通部の他方の端部に押さえる円板部に、半円弧状の装着部が形成されるようにしてもよい。
【００１５】
さらに、前記接合部分は、前記鋼管斜材の端部に形成され、主柱鋼管との接合に使用される固定プレートが装着される切り込み部であり、前記固定部は、前記切り込み部を貫通する直線状の第１のアーム部と、前記切り込み部の外側に位置する鋼管斜材の外周に沿って円弧状に延出する第２のアーム部とによって構成され、前記第１のアーム部と前記第２のアーム部は、その一端で回転自在に連結されると共に、前記第１のアーム部と前記第２のアーム部の開閉される他端側に前記装着部となる貫通孔が形成されるようにしてもよい。
【００１６】
前記接合部分は、前記鋼管斜材の端部に形成され、主柱鋼管との接合に使用される固定プレートが装着される切り込み部であり、前記固定部は、前記切り込み部を貫通する貫通部と、該貫通部の一端に設けられた固定プレート部と、該固定プレート部に沿って形成された複数の固定孔と、前記切り込み部の固定プレート部と反対側で前記複数の固定孔のいずれか１つに装着されるボルトとナットと、前記貫通部の他端側に開口する前記装着部とによって構成されるようにしてもよい。
【００１７】
また、前記接合部分は、前記鋼管斜材の端部に固定されるプレート状の斜材側固定プレートと前記鋼管斜材の端部との間の段部であり、前記固定部は、前記斜材側固定プレートに噛合するＵ字状の噛合部と、該噛合部の分離した端部を構成する両端部から前記鋼管斜材に沿って延出する一対の延出部と、該一対の延出部のそれぞれの先端に形成された環状の装着部とによって構成されるようにしてもよい。
【００１８】
さらに、前記接合部分は、前記鋼管斜材の端部に固定されるプレート状の斜材側固定プレートと前記鋼管斜材の端部との間の段部であり、前記固定部は、前記斜材側固定プレートの両側に配置される一対の脚部と、該一対の脚部のそれぞれから前記鋼管斜材に沿って延出する延出部と、該一対の延出部の先端が環状に連設されて形成された装着部とによって構成され、前記延出部には延出部を絞るためのリングが装着され、さらに前記脚部の先端の一方には装着用のピンが設けられ、他方にはそのピンが装着されるためのリングが形成されるようにしてもよい。
【００１９】
さらにまた、前記接合部分は、前記鋼管斜材の端部と該端部に固定されるプレート状の斜材側固定部との間に形成された空間であり、前記固定部は、一方が前記鋼管斜材の端部から前記空間内に挿通されるＵ字状のヘアピン形状に形成され、前記装着部は、該固定部の離れた側の先端のそれぞれに環状に形成されるようにしてもよい。
【００２０】
前記接合部分は、前記鋼管斜材の端部と該端部に固定されるプレート状の斜材側固定部との間に形成された空間であり、前記固定部は、前記斜材側固定部によって仕切られた両側の空間に挿入される一対の折り返し部と、該折り返し部のそれぞれから延出する一対の延出部とによって構成され、前記装着部は、該一対の延出部の先端が環状に連設されて形成された環状部によって構成されるようにしてもよい。
【発明の効果】
【００２１】
以上述べたように、本発明に係る仮止め金具によれば、装着部にカラビナを介して通い綱ロープを保持すると共に、主柱鋼管と鋼管斜材の接合部分、切り込み部、鋼管斜材と固定プレートとの間の段部、鋼管斜材の端部の空間に、固定部を固定するようにしたので、簡易な構造で、通い綱ロープを仮止めすることが可能であると共に、接合部分に対して仮止め金具を容易に着脱することができるため、作業性を向上させることが可能となる。
【図面の簡単な説明】
【００２２】
【図１】（ａ）は本発明の実施例１に係る仮止め金具の装着状態を示した説明図であり、（ｂ）は実施例１に係る仮止め金具の側面図、（ｃ）は、その平面図である。
【図２】（ａ）は本発明の実施例２に係る仮止め金具の装着状態を示した説明図であり、（ｂ）は実施例２に係る仮止め金具の平面図、（ｃ）は、その側面図である。
【図３】（ａ）は本発明の実施例３に係る仮止め金具の装着状態を示した説明図であり、（ｂ）は実施例３に係る仮止め金具の閉じた状態を示した側面図、（ｃ）は、開いた状態を示した側面図である。
【図４】（ａ）は本発明の実施例４に係る仮止め金具の装着状態を示した説明図であり、（ｂ）は実施例４に係る仮止め金具の正面図、（ｃ）は、その側面図である。
【図５】（ａ）は本発明の実施例５に係る仮止め金具の装着状態を示した説明図であり、（ｂ）は実施例５に係る仮止め金具の正面図、（ｃ）は、その側面図、（ｄ）はその平面図である。
【図６】（ａ）は本発明の実施例６に係る仮止め金具の装着状態を示した説明図であり、（ｂ）は実施例６に係る仮止め金具の開いた状態を示した斜視図、（ｃ）は、閉じた状態を示した斜視図である。
【図７】（ａ）は本発明の実施例７に係る仮止め金具の装着状態を示した説明図であり、（ｂ）は実施例７に係る仮止め金具の側面図、（ｃ）は、その平面図である。
【図８】（ａ）は本発明の実施例８に係る仮止め金具の装着状態を示した説明図であり、（ｂ）は実施例８に係る仮止め金具の平面図、（ｃ）は、その側面図である。
【図９】主柱鋼管と鋼管斜材との接合部分を示した説明図である。
【発明を実施するための最良の形態】
【００２３】
以下、この発明の実施例について図面により説明する。
【実施例１】
【００２４】
鋼管鉄塔は、図１（ａ）に示すように、土台１０に立設する鋼管鉄塔の主柱鋼管２０と、この主柱鋼管２０に接続される鋼管斜材３０とを具備する。この主柱鋼管２０と鋼管斜材３０とは、主柱鋼管２０に溶接固定されたプレート状の主柱側固定プレート４０と、鋼管斜材３０に溶接固定されたプレート状の斜材側固定プレート５０とをボルトによって固定することによって接続される。
【００２５】
鋼管鉄塔の上で作業する場合、鋼管鉄塔の上にいる作業者に資材や工具を運搬するために、通い綱ロープ６０が用いられる。この通い綱ロープ６０は、カラビナ７０を介して前記主柱鋼管２０と前記鋼管斜材３０との間の接合部分８０に着脱自在に装着された仮止め金具１に接続される。
【００２６】
実施例１では、前記接合部分８０は、前記鋼管斜材３０の端部に形成され、主柱鋼管２０との接合に使用される主柱側固定プレート４０が装着される切り込み部８１である。
【００２７】
本発明に係る仮止め金具１は、前記接合部分８０に着脱自在に固定される固定部と、前記通い綱ロープ６０が貫通するカラビナ７０が装着される装着部とによって構成される。
【００２８】
本発明の実施例１に係る仮止め金具１では、前記固定部は、前記切り込み部８１に挿通される挿通部２と、この挿通部２の先端に形成された抜け止め部３によって構成され、前記装着部４は前記挿通部２から垂直に前記鋼管斜材３０に沿って延出する延出部５の先端に環状に形成される。また、この実施例１に係る仮止め金具１には、前記延出部５の所定の位置に両側に延出する一対の金具固定環６が設けられる。
【００２９】
以上の構成の仮止め金具１は、前記切り込み部８１に抜け止め部３を切り込み部８１に沿って配置して挿通させ、抜け止め部３が貫通した後に延出部５を鋼管斜材３０に沿うように回転させて仮止め金具１が切り込み部８１から抜けないようにし、前記金具固定環６の一方から前記鋼管斜材３０の外側を廻して金具固定環６の他方を接続する固定紐９０を渡して仮止め金具１を鋼管斜材３０に固定し、通い綱ロープ６０が挿通したカラビナ７０を装着部４に装着する。
【００３０】
これによって、通い綱ロープ６０を鋼管斜材３０に巻き付けて仮止めしても仮止め金具１が、鋼管斜材３０の接合部分８０に固定されていることから、通い綱ロープ６０が鋼管斜材３０に沿って移動することがなくなるため、仮止めを確実にすることができる。
【実施例２】
【００３１】
本発明の実施例２に係る仮止め金具１Ａは、例えば図２（ａ），（ｂ），（ｃ）に示すものである。尚、前記接合部分８０は、前記鋼管斜材３０の端部に形成され、主柱鋼管２０との接合に使用される固定プレート４０が装着される切り込み部８１である。この実施例２に係る仮止め金具１Ａにおいて、固定部は、前記切り込み部８１を貫通すると共に雌ネジが切られた貫通部２Ａを具備する。この該貫通部２Ａの一方に螺合するナット３Ａによってワッシャ３Ａ’を介して前記前記貫通部２Ａの一方の端部を固定する。装着部は、前記貫通部２Ａの他方の端部に押さえる円板部５Ａに半円弧状に形成された保持部４Ａによって構成される。
【００３２】
以上の構成により、本発明の実施例２に係る仮止め金具１Ａは、前記貫通部２Ａを前記切り込み部８１に貫通させ、ワッシャ３Ａ’を介してナット３Ａで締めることによって、前記円板部５Ａとワッシャ３Ａ’によって前記切り込み部８１が形成された鋼管斜材３０を両側から保持することによって仮止め金具１Ａを鋼管斜材３０の切り込み部８１に固定できる。これによって、通い綱ロープ６０は、前記保持部４Ａにカラビナ７０を介してしっかりと固定される。
【実施例３】
【００３３】
本発明の実施例３に係る仮止め金具１Ｂは、例えば図３（ａ），（ｂ），（ｃ）に示すものである。尚、前記接合部分８０は、前記鋼管斜材３０の端部に形成され、主柱鋼管２０との接合に使用される固定プレート４０が装着される切り込み部８１である。この実施例３に係る仮止め金具１Ｂにおいて、前記固定部は、前記切り込み部８１を貫通する直線状の第１のアーム部２Ｂと、前記切り込み部８１の外側に位置する鋼管斜材３０の外周に沿って円弧状に延出する第２のアーム部３Ｂとによって構成され、前記第１のアーム部２Ｂと前記第２のアーム部３Ｂは、その一端で連結部４Ｂにおいて回転自在に連結されると共に、前記第１のアーム部２Ｂと前記第２のアーム部３Ｂの開閉される他端側５Ｂ，６Ｂに前記装着部となる貫通孔７Ｂ，８Ｂが形成される。
【００３４】
以上の構成により、本発明の実施例３に係る仮止め金具１Ｂは、第１のアーム部２Ｂを前記切り込み部２Ｂを切り込み部８１に貫通させ、第２のアーム部３Ｂを鋼管斜材３０の外周部に当接するように配置して、第１のアーム部２Ｂと第２のアーム部３Ｂとで鋼管斜材３０を挟み込むと共に、貫通孔７Ｂ，８Ｂを連通するようにカラビナ７０を配して仮止め金具１Ｂを鋼管斜材３０に固定する。これによって、通い綱ロープ６０は、前記貫通孔７Ｂ，８Ｂに連通されるカラビナ７０を介してしっかりと固定することが可能となる。
【実施例４】
【００３５】
本発明の実施例４に係る仮止め金具１Ｃは、例えば図４（ａ），（ｂ），（ｃ）に示すものである。尚、前記接合部分８０は、前記鋼管斜材３０の端部に形成され、主柱鋼管２０との接合に使用される固定プレート４０が装着される切り込み部８１である。この実施例４に係る仮止め金具１Ｃにおいて、前記固定部は、前記切り込み部８１を貫通する貫通部２Ｃと、該貫通部２Ｃの一端に設けられた固定プレート部３Ｃと、該固定プレート部３Ｃに沿って形成された複数の固定孔４Ｃと、前記切り込み部８１の固定プレート部３Ｃと反対側で前記複数の固定孔４Ｃのいずれか１つに装着されるボルト５Ｃとナット６Ｃとによって構成される。また装着部は、前記貫通部２Ｃの他端側に開口する前記装着孔７Ｃによって構成される。
【００３６】
以上の構成により、本発明の実施例４に係る仮止め金具１Ｃは、前記貫通部２Ｃを切り込み部８１に貫通させ、切り込み部８１から突出した部分にあるいずれかの固定孔４Ｃにボルト５Ｃを貫通させてナット６Ｃで固定することによって、固定プレート部３Ｃとボルト５Ｃとの間で鋼管斜材３０に仮止め金具１Ｃを固定することが可能となる。これによって、通い綱ロープ６０は、前記装着孔７Ｃに連通されるカラビナ７０を介してしっかりと固定される。
【実施例５】
【００３７】
本発明の実施例５に係る仮止め金具１Ｄは、例えば図５（ａ），（ｂ），（ｃ），（ｄ）に示すものである。尚、前記接合部分８０は、前記鋼管斜材３０の端部に固定されるプレート状の斜材側固定プレート５０及び主柱側固定プレート４０と前記鋼管斜材３０の端部との間に位置する段部８２である。この実施例５に係る仮止め金具１Ｄにおいて、前記固定部は、前記斜材側固定プレート５０に噛合するＵ字状の噛合部２Ｄと、該噛合部２Ｄの分離した端部を構成する両端部３Ｄ，４Ｄから前記鋼管斜材３０に沿って延出する一対の延出部５Ｄ，６Ｄと、該一対の延出部５Ｄ，６Ｄのそれぞれの先端に形成された環状の装着部７Ｄ，８Ｄとによって構成される。また、前記両端部３Ｄ，４Ｄには固定用の蝶ネジ９Ｄが設けられ、前記両端部３Ｄ，４Ｄに形成された雌ネジに螺合して、前記噛合部２Ｄが締め付けられるようになっている。
【００３８】
以上の構成により、本発明の実施例５に係る仮止め金具１Ｄは、前記鋼管斜材３０の斜材側固定プレート５０及び前記主柱鋼管２０に固着される主柱側固定プレート４０を両側から挟むようにＵ字状の前記噛合部２Ｄを配置し、前記蝶ネジ９Ｄを前記両端部３Ｄ，４Ｄにわたって螺合することによって、前記噛合部２Ｄによって前記斜材側固定プレート５０と主柱側固定プレート４０を挟み込む。これによって固定された仮止め金具１Ｄの延出部５Ｄ，６Ｄの先端に形成された装着部７Ｄ，８Ｄにわたってカラビナ７０が配置され、カラビナ７０に挿通される通い綱ロープ６０が固定される。
【実施例６】
【００３９】
本発明の実施例６に係る仮止め金具１Ｅは、例えば図６（ａ），（ｂ），（ｃ）に示すものである。尚、前記接合部分８０は、前記鋼管斜材３０の端部に固定されるプレート状の斜材側固定プレート５０及び主柱側固定プレート４０と前記鋼管斜材３０の端部との間に位置する段部８２である。この実施例６に係る仮止め金具１Ｅにおいて、前記固定部は、前記斜材側固定プレート５０の両側に配置される一対の脚部２Ｅ，３Ｅと、該一対の脚部２Ｅ，３Ｅのそれぞれから前記鋼管斜材３０に沿って延出する延出部４Ｅ，５Ｅと、該一対の延出部４Ｅ，５Ｅの先端が環状に連設されて形成された装着部６Ｅとによって構成され、前記延出部４Ｅ，５Ｅには延出部４Ｅ，５Ｅを絞るための絞りリング７Ｅが装着され、さらに前記脚部２Ｅ，３Ｅの先端は、リング８Ｅ，９Ｅが形成され、リング８Ｅ，９Ｅの一方８Ｅには装着用のピン１０Ｅが設けられる。また、前記ピン１０Ｅの所定に位置に貫通孔１１Ｅが形成され、この貫通孔１１Ｅには割ピン１２Ｅが設けられる。尚、前記ピン１０Ｅを設ける代わりに、ボルトとナットを使用し、前記リング８Ｅ，９Ｅを貫通させてその両側から締め付け固定するようにしても良い。
【００４０】
以上の構成により、本発明の実施例６に係る仮止め金具１Ｅは、前記脚部２Ｅ，３Ｅを、前記斜材側固定プレート５０及び主柱側固定プレート４０を挟むように配置し、ピン１０Ｅをリング９Ｅに貫通させ、割ピン１２Ｅを貫通孔１１Ｅに挿通して仮止め金具１Ｅの端部を固定し、絞りリング７Ｅを延出部４Ｅ，５Ｅｎの脚部側に移動させて脚部２Ｅ，３Ｅを絞り込むことによって、前記斜材側固定プレート５０及び主柱側固定プレート４０に固定される。また、装着部６Ｅにカラビナ７０を装着して、カラビナ７０に挿通される通い綱ロープ６０を固定する。
【実施例７】
【００４１】
本発明の実施例７に係る仮止め金具１Ｆは、例えば図７（ａ），（ｂ），（ｃ）に示すものである。尚、前記接合部分８０は、前記鋼管斜材３０の端部と該端部に固定されるプレート状の斜材側固定プレート５０との間に形成された空間８３である。本発明の実施例７に係る仮止め金具１Ｆにおいて、前記固定部は、そのいずれかが前記鋼管斜材３０の端部から前記空間８３内に挿通される一対の脚部２Ｆ，３ＦによってＵ字状によって形成されたもので、前記装着部は一対の脚部２Ｆ，３Ｆの分離した先端４Ｆ，５Ｆに環状に形成される環状部６Ｆ，７Ｆである。また、前記脚部２Ｆ，３Ｆには、装着性を高めるために狭小部を形成するための湾曲部８Ｆ，９Ｆが設けられる。
【００４２】
以上の構成により、本発明の実施例６に係る仮止め金具１Ｆは、前記脚部２Ｆ，３Ｆの一方を前記空間８３に挿入することによって前記鋼管斜材３０の端部に固定され、鋼管斜材３０の外側に位置する他方の先端に形成された環状部６Ｆ，７Ｆのいずれかにカラビナ７０を装着することによって、カラビナ７０に挿通される通い綱ロープ６０を固定することができる。
【実施例８】
【００４３】
本発明の実施例８に係る仮止め金具１Ｇは、例えば図８（ａ），（ｂ），（ｃ）に示すものである。尚、前記接合部分８０は、前記鋼管斜材３０と鋼管斜材３０に装着された斜材側固定プレート５０との間であって、斜材側固定プレート５０の両側に形成された空間８３，８４である。本発明の実施例８に係る仮止め金具１Ｇにおいて、前記固定部は、前記斜材側固定プレート５０によって仕切られた両側の空間８３，８４に挿入される一対の折り返し部２Ｇ，３Ｇと、該折り返し部２Ｇ，３Ｇのそれぞれから延出する一対の延出部４Ｇ，５Ｇとによって構成され、前記装着部は、該一対の延出部４Ｇ，５Ｇの先端が環状に連設されて形成された環状部６Ｇによって構成される。
【００４４】
以上の構成により、本発明の実施例８に係る仮止め金具１Ｇは、それぞれの折り返し部２Ｇ，３Ｇが前記空間８３，８４に挿着され、前記鋼管斜材３０に沿って延出した延出部４Ｇ，５Ｇの先端に形成された環状部６Ｇにカラビナ７０が装着される。これによって、カラビナ７０に挿通される通い綱ロープ６０がしっかりと固定される。
【符号の説明】
【００４５】
１，１Ａ，１Ｂ，１Ｃ，１Ｄ，１Ｅ，１Ｆ，１Ｇ  仮止め金具
２  挿通部
２Ａ  貫通部
２Ｂ  第１のアーム部
２Ｃ  貫通部
２Ｄ  噛合部
２Ｅ  脚部
２Ｆ  脚部
２Ｇ  折り返し部
３  抜け止め部
３Ａ  ナット
３Ａ’  ワッシャ
３Ｂ  第２のアーム部
３Ｃ  固定プレート部
３Ｄ  両端部
３Ｅ  脚部
３Ｆ  脚部
３Ｇ  折り返し部
４  装着部
４Ａ  保持部
４Ｃ  固定孔
４Ｄ  両端部
４Ｅ  延出部
４Ｇ  延出部
５  延出部
５Ａ  円板部
５Ｄ  延出部
５Ｅ  延出部
５Ｇ  捻出部
６  金具固定環
６Ｄ  延出部
６Ｅ  装着部
６Ｆ  環状部
６Ｇ  環状部
７Ｂ  貫通孔
７Ｃ  装着孔
７Ｅ  絞りリング
７Ｆ  環状部
８Ｂ  貫通孔
８Ｅ  リング
８Ｆ  湾曲部
９Ｅ  リング
９Ｆ  湾曲部
１０  土台
１０Ｅ  ピン
２０  主柱鋼管
３０  鋼管斜材
４０  主柱側固定プレート
５０  斜材側固定プレート
６０  通い綱ロープ
７０  カラビナ
８０  接合部分
８１  切り込み部
８２  段部
８３  空間
８４  空間
【図１】
2015021362.tif 000003
【図２】
2015021362.tif 000004
【図３】
2015021362.tif 000005
【図４】
2015021362.tif 000006
【図５】
2015021362.tif 000007
【図６】
2015021362.tif 000008
【図７】
2015021362.tif 000009
【図８】
2015021362.tif 000010
【図９】
2015021362.tif 000011